(57)【特許請求の範囲】
【請求項１】
円柱形の多くの蓄電池を軸方向が縦向きとなる縦置きグループと横向きとなる横置きグループとに分け、縦置きグループと横置きグループとの間に各グループの蓄電池を固定する固定部を両面に形成した電池固定台を備え、縦置きグループの外形寸法は、蓄電池の一端側を揃えて並置して横置きした横置きグループの外形寸法に比べて大きくし、横置きグループの蓄電池の軸方向の両側に配線スペースを形成して成ることを特徴とする電池パック。
【請求項２】
電池固定台の横置きグループ側の固定部は、横置きグループの個々の蓄電池の周側面を固定可能に構成して成ることを特徴とする請求項１記載の電池パック。
【請求項３】
縦置きグループの蓄電池の上に横置きグループの蓄電池を配置し、横置きグループの蓄電池の上に一つの縦置き蓄電池を配置し、縦置きグループと横置きグループの蓄電池の間に配設した電池固定台に上記縦置き蓄電池を保持する保持部を形成して成ることを特徴とする請求項１記載の電池パック。
【請求項４】
縦置き蓄電池を保持する保持部は板状に形成して横置きグループの蓄電池間に挿入して成ることを特徴とする請求項３記載の電池パック。
【請求項５】
電池固定台に保持部を一体的に設けて成ることを特徴とする請求項３又は４記載の電池パック。
【請求項６】
電池パックに機器本体に着脱自在に連結するフックを設け、フックを弾性変位させて機器本体との連結を解除するばね片をフックに設け、電池固定台の側面にばね片を受けて弾性変位を許容するばね受面を形成して成ることを特徴とする請求項１記載の電池パック。
【発明の詳細な説明】
【０００１】
【発明の属する技術分野】
本発明は、電池パックに関し、詳しくは、円柱状の多くの畜電池を安定的に保持しながら充電時にパック中央部の蓄電池が発熱して劣化するのを防止しようとする技術に係るものである。
【０００２】
【従来の技術】
従来、円柱状の多くの畜電池１…をパック状にまとめて機器本体に装着する電池パックにおいては、図７に示すように、軸方向を揃えた円柱状の蓄電池１…を多数本を並置して例えば上下に分割可能となっている電池ハウジング９ａに収納されるものである。又、図８に示すように、軸方向を横向きとして並置した蓄電池の両端部も含めた外周を緊締カバー１０にて囲繞して左右に分割した電池ハウジング９ｂ、９ｃ内に収納されるものである。
【０００３】
【発明が解決しようとする課題】
ところで、このように多数本の蓄電池１…を並置して外周を押さえて収納する構成においては、電池パックを充電する際に、パック中心部の畜電池１…の放熱が妨げられて昇温が促進され、電池の寿命が短くなるという問題がある。
【０００４】
更に、多数本の蓄電池１…を並置して外周を押さえることから、中央部の蓄電池１…の固定強度を安定化でき難いという問題がある。しかも、硬質の緊締カバー１０と電池ハウジング９ｂ、９ｃとの間でリード線１１を挟んで断線させることがあるなどという問題があった。
【０００５】
本発明はこのような問題に鑑みてなされたものであり、多くの畜電池を安定的に保持しながら充電時に発熱して劣化するのを防止することができ、又、リード線を断線させるおそれがない電池パックを提供することを課題とするものである。
【０００６】
【課題を解決するための手段】
請求項１に係る発明においては、円柱形の多くの蓄電池１…を軸方向が縦向きとなる縦置きグループＡと横向きとなる横置きグループＢとに分け、縦置きグループＡと横置きグループＢとの間に各グループＡ、Ｂの蓄電池１…を固定する固定部２ａ、２ｂを両面に形成した電池固定台３を備え、縦置きグループＡの外形寸法は、蓄電池１…の一端側を揃えて並置して横置きした横置きグループＢの外形寸法に比べて大きくし、横置きグループＢの蓄電池１の軸方向の両側に配線スペース４を形成していることを特徴とするものである。このような構成によれば、多くの蓄電池１…を縦置きグループＡと横置きグループＢとに分けることで、全ての蓄電池１…を一方向に揃える構成に比べて各グループＡ、Ｂにおける中央部の蓄電池１…の放熱を促進することができ、充電時に中央部の蓄電池１…が昇温して充電が阻害されたり、電池寿命が短くなるなどの問題を防止することができる。それでいて、縦置きグループＡと横置きグループＢとの間には各グループＡ、Ｂの蓄電池１…を固定する固定部２ａ、２ｂを形成した電池固定台３を設けていることから、各グループＡ、Ｂの蓄電池１…を各固定部２ａ、２ｂにおいて安定的に固定することができる。
【０００７】
また、請求項１に係る発明においては、縦置きグループＡの外形寸法は、蓄電池１…の一端側を揃えて並置して横置きした横置きグループＢの外形寸法に比べて大きくし、横置きグループＢの蓄電池１…の軸方向の両側に配線スペース４を形成していることを特徴とするものである。このような構成によれば、横置きグループＢの各蓄電池１…の軸方向の両端部に配線スペース４を形成することができ、横置きグループＢのリード線１１を挟んで断線させることがない。
【０００８】
請求項２に係る発明においては、電池固定台３の横置きグループＢ側の固定部２ｂは、横置きグループＢの個々の蓄電池１…の周側面を固定可能に構成していることを特徴とするものである。このような構成によれば、横置きグループＢの個々の蓄電池１…の固定を安定化させることができる。
【０００９】
請求項３に係る発明おいては、縦置きグループＡの蓄電池１…の上に横置きグループＢの蓄電池１を配置し、横置きグループＢの蓄電池１の上に一つの縦置き蓄電池１ａを配置し、縦置きグループＡと横置きグループＢの蓄電池１…の間に配設した電池固定台３に上記縦置き蓄電池１ａを保持する保持部５を形成していることを特徴とするものである。このような構成によれば、横置きグループＢの上に一つの縦置き蓄電池１を配することで、電池パック１２の頂部に一つの縦置き蓄電池１を凸の状態に存在させることができ、電池パック１２を機器本体６に接続しやすい構成にできながら、該縦置き蓄電池１は電池固定台３に一体に形成した保持部５にて保持でき、電池パック１２における上記の蓄電池１…の配置構成を容易に得ることができる。
【００１０】
請求項４に係る発明においては、縦置き蓄電池１ａを保持する保持部５は板状に形成して横置きグループＢの蓄電池１、１間に挿入していることを特徴とするものである。このような構成によれば、頂部の縦置き蓄電池１ａを支持する保持部５は板状となって下段の横置きグループＢの蓄電池１、１の間に挿入されて横置きグループＢの蓄電池１、１の保持にも機能させることができ、横置きグループＢの蓄電池１…の固定をより高めることができる。
【００１１】
請求項５に係る発明においては、電池固定台３に保持部５を一体的に設けてあるから、電池固定台３における蓄電池１…の固定機能を充分なものにできながら、電池固定台３の構成を簡素化することができる。
【００１２】
請求項６に係る発明においては、電池パックに機器本体６に着脱自在に連結するフック７を設け、フック７を弾性変位させて機器本体６との連結を解除するばね片１３をフック７に設け、電池固定台３の側面にばね片１３を受けて弾性変位を許容するばね受面８を形成していることを特徴とするものである。このような構成によれば、フック７を例えば押し込むなどして弾性変位させて機器本体６との連結を解除するのに際して、フック７に設けたばね片１３は電池固定台３の側面に形成されたばね受面８に受けられていることから、フック７を容易にかつ正確に弾性変位させることができ、フック７の操作を安定化させることができる。
【００１３】
【発明の実施の形態】
以下、本発明の実施の形態を説明する。図１は本発明の実施の一形態を示す分解斜視図である。図２は電池パックの斜視図である。図６は電池パックを機器本体に取り付けた側面図である。
【００１４】
機器本体６は例えば電動ドライバーであり、円柱状の蓄電池１…の複数を備えた電池パック１２にフック７を取り付け、フック７の操作によって電池パック１２を機器本体６に着脱自在に取り付け、必要に応じて外して蓄電池１…の充電をおこなうものである。上記電動ドライバーにおいては、高ワット化により、電池パック１２には蓄電池１…の数量が増すのであり、円柱状の多くの蓄電池１…を安定的に保持し難く、又、充電時に蓄電池グループの中央部のものは放熱が阻害されて発熱が促進され、所定通りの充電が阻害され、放充電を繰り返すことで、劣化が進むものである。
【００１５】
本発明の電池パック１２においては、多くの畜電池１…を安定的に保持しながら充電時に発熱して劣化するのを防止するものである。以下、詳述する。
【００１６】
円柱形の多くの蓄電池１…を軸方向が縦向きとなる縦置きグループＡと横向きとなる横置きグループＢとに分け、縦置きグループＡと横置きグループＢとの間に各グループＡ、Ｂの蓄電池１…を固定する固定部２ａ、２ｂを両面に形成した電池固定台３を配設している。具体的には、縦置きグループＡの蓄電池１…は例えば１１本であり、中央部に２本、外周部に９本を並べるのであり、中央部の２本の蓄電池１、１の近傍には隙間１４を形成して放熱を図っている。横置きグループＢの蓄電池１…は例えば３本である。
【００１７】
電池固定台３の外周部には下面側に円弧片１５…を突出して固定部２ａとし、円弧片１５にて蓄電池１…の上端部の外周部を押さえて縦置きグループＡの蓄電池１…を固定している。電池固定台３の上面側に円弧状のリブ１６…を形成して固定部２ｂとし、円弧状のリブ１６にて円柱状の蓄電池１の周側面を載置して横置きグループＢの蓄電池１を保持するようにしている。
【００１８】
このように、多くの蓄電池１…を縦置きグループＡと横置きグループＢとに分けることで、全ての蓄電池１…を一方向に揃える構成に比べて各グループＡ、Ｂにおける中央部の蓄電池１…の放熱を促進することができ、充電時に中央部の蓄電池１…が昇温して充電が阻害されたり、電池寿命が短くなるなどの問題を防止することができるのである。それでいて、縦置きグループＡと横置きグループＢとの間には各グループＡ、Ｂの蓄電池１…を固定する固定部２ａ、２ｂを形成した電池固定台３を設けていることから、各グループＡ、Ｂの蓄電池１…を各固定部２ａ、２ｂにおいて安定的に固定することができるのである。
【００１９】
この場合、電池固定台３の横置きグループＢ側の固定部２ｂは円弧状のリブ１６を備えていて、横置きグループＢの個々の蓄電池１…の周側面を固定していることから、横置きグループＢの個々の蓄電池１…の固定を安定化させることができるのである。
【００２０】
ところで、縦置きグループＡの蓄電池１…の外形寸法は、蓄電池１…を一端側を揃えて並置して横置きした横置きグループＢの蓄電池１…の外形寸法に比べて大きくし、横置きグループＢの蓄電池１…の軸方向の両側に配線スペース４を形成していることから、横置きグループＢの各蓄電池１…の軸方向の両端部に配線スペース４を形成することができるのであり、横置きグループＢ等のリード線１１を挟んで断線させることがないのである。
【００２１】
更に、横置きグループＢの蓄電池１の上に一つの縦置き蓄電池１ａを配置し、縦置きグループＡと横置きグループＢの蓄電池１…の間に配設した電池固定台３に上記縦置き蓄電池１ａを保持する保持部５を形成している。このことから、横置きグループＢの上に一つの縦置き蓄電池１を配することで、電池パック１２の頂部に一つの縦置き蓄電池１ａを凸の状態に存在させることができ、電池パック１２を機器本体６に接続しやすい構成にできながら、該縦置き蓄電池１ａは電池固定台３に一体に形成した保持部５にて保持でき、電池パック１２における上記の蓄電池１…の配置構成を容易に得ることができるのである。
【００２２】
この場合、縦置き蓄電池１ａを保持する保持部５は例えば断面コ字状の板状に形成して横置きグループＢの蓄電池１、１間に挿入していることから、頂部の縦置き蓄電池１ａを支持する保持部５は断面コ字状の板状となって下段の横置きグループＢの蓄電池１、１の間に挿入されて横置きグループＢの蓄電池１、１の保持及び隙間１７を形成することができ、横置きグループＢの蓄電池１…の固定をより高め、放熱性を高めることができるのである。又、保持部５にはリブ１６が付設していて保持部５の起立強度を高めている。
【００２３】
更に、電池固定台３に保持部５を一体的に設けてあることから、電池固定台３における蓄電池１…の固定機能を充分なものにできながら、電池固定台３の構成を簡素化することができるのである。
【００２４】
電池ハウジング９は左右の電池ハウジング１８、１９に分割し、両ハウジング１８、１９の上下中間部に保持リブ２０、２０を形成し、縦置きグループＡの蓄電池１…の周側面を保持リブ２０、２０によって保持し、縦置きグループＡの蓄電池１…を両ハウジング１８、１９によっても強固に固定することができるようにしている。
【００２５】
左右の電池ハウジング１８（１９）には窓孔２１が形成され、窓孔２１には上端部にフック７を形成した基板２２を臨ませ、基板２２の背面にはばね片１３を取り付け、電池固定台３にばね受面８を設け、しかして、ばね片１３を弾性変形させてフック７の上面を電池ハウジング１８（１９）の窓孔２１の孔縁に対して、又、基板２２の下縁部等を窓孔２１の孔縁に対して摺動させて電池ハウジング１８（１９）の内方に押し込むことで、フック７を窓孔２１より後退させて機器本体６との連結を解除できるようにしている。
【００２６】
このように、電池パック１２に機器本体６に着脱自在に連結するフック７を設け、フック７を弾性変位させて機器本体６との連結を解除するばね片１３をフック７に設け、電池固定台３の側面にばね片１３を受けて弾性変位を許容するばね受面８を形成していることから、フック７を例えば押し込むなどして弾性変位させて機器本体６との連結を解除するのに際して、フック７を容易にかつ正確に弾性変位させることができ、フック７の操作を安定化させることができるのである。
【００２７】
【発明の効果】
請求項１に係る発明においては、円柱形の多くの蓄電池を軸方向が縦向きとなる縦置きグループと横向きとなる横置きグループとに分け、縦置きグループと横置きグループとの間に各グループの蓄電池を固定する固定部を両面に形成した電池固定台を備え、縦置きグループの外形寸法は、蓄電池の一端側を揃えて並置して横置きした横置きグループの外形寸法に比べて大きくし、横置きグループの蓄電池の軸方向の両側に配線スペースを形成しているから、多くの蓄電池を縦置きグループと横置きグループとに分けることで、全ての蓄電池を一方向に揃える構成に比べて各グループにおける中央部の蓄電池の放熱を促進することができ、充電時に中央部の蓄電池が昇温して充電が阻害されたり、電池寿命が短くなるなどの問題を防止することができるという利点がある。それでいて、縦置きグループと横置きグループとの間には各グループの蓄電池を固定する固定部を形成した電池固定台を設けていることから、各グループの蓄電池を各固定部において安定的に固定することができるという利点がある。
【００２８】
また、請求項１に係る発明においては、縦置きグループの外形寸法は、蓄電池を一端側を揃えて並置して横置きした横置きグループの外形寸法に比べて大きくし、横置きグループの蓄電池の軸方向の両側に配線スペースを形成しているから、横置きグループの各蓄電池の軸方向の両端部に配線スペースを形成することができ、横置きグループのリード線を挟んで断線させることがないという利点がある。
【００２９】
請求項２に係る発明においては、請求項１の効果に加えて、電池固定台の横置きグループ側の固定部は、横置きグループの個々の蓄電池の周側面を固定可能に構成しているから、横置きグループの個々の蓄電池の固定を安定化させることができるという利点がある。
【００３０】
請求項３に係る発明おいては、請求項１の効果に加えて、縦置きグループの蓄電池の上に横置きグループの蓄電池を配置し、横置きグループの蓄電池の上に一つの縦置き蓄電池を配置し、縦置きグループと横置きグループの蓄電池の間に配設した電池固定台に上記縦置き蓄電池を保持する保持部を形成しているから、横置きグループの上に一つの縦置き蓄電池を配することで、電池パックの頂部に一つの縦置き蓄電池を凸の状態に存在させることができ、電池パックを機器本体に接続しやすい構成にできながら、該縦置き蓄電池は電池固定台に一体に形成した保持部にて保持でき、電池パックにおける上記の蓄電池の配置構成を容易に得ることができるという利点がある。
【００３１】
請求項４に係る発明においては、請求項３の効果に加えて、縦置き蓄電池を保持する保持部は板状に形成して横置きグループの蓄電池間に挿入しているから、頂部の縦置き蓄電池を支持する保持部は板状となって下段の横置きグループの蓄電池の間に挿入されて横置きグループの蓄電池の保持にも機能させることができ、横置きグループの蓄電池の固定をより高めることができるという利点がある。
【００３２】
請求項５に係る発明においては、請求項３又は４の効果に加えて、電池固定台に保持部を一体的に設けてあるから、電池固定台における蓄電池の固定機能を充分なものにできながら、電池固定台の構成を簡素化することができるという利点がある。
【００３３】
請求項６に係る発明においては、請求項１の効果に加えて、電池パックに機器本体に着脱自在に連結するフックを設け、フックを弾性変位させて機器本体との連結を解除するばね片をフックに設け、電池固定台の側面にばね片を受けて弾性変位を許容するばね受面を形成しているから、フックを例えば押し込むなどして弾性変位させて機器本体との連結を解除するのに際して、フックに設けたばね片は電池固定台の側面に形成されたばね受面に受けられていることから、フックを容易にかつ正確に弾性変位させることができ、フックの操作を安定化させることができるという利点がある。
【図面の簡単な説明】
【図１】本発明の実施の一形態を示す分解斜視図である。
【図２】同上の電池パックの斜視図である。
【図３】同上の一方の電池ハウジングを外した斜視図である。
【図４】同上の電池固定台の斜視図である。
【図５】同上の電池パックの断面図である。
【図６】同上の電池パックを機器本体に取り付けた側面図である。
【図７】従来例を示し、（ａ）は電池パックの斜視図、（ｂ）は蓄電池の配列を示す斜視図である。
【図８】他の従来例の分解斜視図である。
【符号の説明】
１    蓄電池
２ａ  固定部
２ｂ  固定部
３    電池固定台
４    配線スペース
５    保持部
６    機器本体
７    フック
８    ばね受面
１３  ばね片
【図１】
0003867533.tif 000002
【図２】
0003867533.tif 000003
【図３】
0003867533.tif 000004
【図４】
0003867533.tif 000005
【図５】
0003867533.tif 000006
【図６】
0003867533.tif 000007
【図７】
0003867533.tif 000008
【図８】
0003867533.tif 000009